(57)【要約】【課題】人体を検知するセンサ装置および照明負荷を強制消灯させることのできるスイッチ装置を備え、センサ装置およびスイッチ装置が同一の信号線より給電され、かつ当該信号線にそれぞれ検知信号および消灯信号を送出することのできる照明装置を提供する。【解決手段】照明装置１は、信号線１０に接続され、信号線１０から電力が供給されて動作するとともに、人感センサ２５が人体を検知したときに信号線１０の電圧を変化させることにより信号線１０に検知信号を送出するセンサ装置３，４と、信号線１０に接続され、信号線１０から電力が供給されて動作するとともに、スイッチ部５ａが手動操作されたときに信号線１０の電圧をセンサ装置３，４のときと異ならせて変化させることにより信号線１０に操作信号を送出するスイッチ装置５とを具備する。【選択図】図１
2005285541.tif 000002
【特許請求の範囲】
【請求項１】
照明負荷と；
信号線に接続され、この信号線に電力を供給する電源部を有する照明制御装置と；
人体を検知する人感センサを有してなり、信号線に接続され、信号線から電力が供給されて動作するとともに、人感センサが人体を検知したときに信号線の電圧を変化させることにより信号線に検知信号を送出するセンサ装置と；
手動操作されるスイッチ部を有してなり、信号線に接続され、信号線から電力が供給されて動作するとともに、スイッチ部が手動操作されたときに信号線の電圧をセンサ装置のときと異ならせて変化させることにより信号線に操作信号を送出するスイッチ装置と；
信号線の電圧を検出することにより、センサ装置から送出された検知信号およびスイッチ装置から送出された操作信号を検出する送出信号検出手段と；
照明制御装置に設けられ、送出信号検出手段が検知信号を検出したときに人体の存在に応じた制御信号を出力して照明負荷を制御し、検知信号を検出した時点から所定期間内に再び送出信号検出手段が検知信号を検出しないときに人体の不存在に応じた制御信号を出力して照明負荷を制御するセンサ制御手段と；
照明制御装置に設けられ、送出信号検出手段が操作信号を検出したときに照明負荷を強制的に消灯または調光させるように制御する外部操作制御手段と；
を具備していることを特徴とする照明装置。
【請求項２】
電源部から直流電圧が供給され、センサ装置から送出された検知信号およびスイッチ装置から送出された操作信号は、それぞれの電圧レベルが異なることを特徴とする請求項１記載の照明装置。
【発明の詳細な説明】
【技術分野】
【０００１】
本発明は、人体の存否を検出する人感センサを備えている照明装置に関する。
【背景技術】
【０００２】
人体から放射される熱線を焦電素子のような熱線センサ（人感センサ）により検知して人体の存否を検出することにより、照明器具を自動的に点消灯させる照明装置が広く利用されている。この種の照明装置は、熱線センサを具備したセンサ装置が信号線を介して主制御部（コントローラ）に接続されている。そして、主制御部は、２線よりなる信号線に直流電圧を印加し、センサ装置は、人体を検知すると、信号線の線間電圧を変化させる検知信号を信号線に送出する照明装置が提案されている（例えば、特許文献１参照。）。
【０００３】
また、この種の照明装置は、一般的に、人体の存在を検知して照明器具を点灯させた後、当該検知時点から所定期間（遅延時間）後に照明器具を消灯させるようにしている。この所定期間は、人体が存在していない状態でも照明器具が点灯しているので、場合によっては照明器具の消費電力が無駄になることがある。そこで、例えば部屋から退出する際に、照明器具を強制的に消灯させることが行われている。すなわち、照明器具のランプを強制的に消灯させるスイッチを信号線により主制御部に接続しているセンサ付照明器具が提案されている（例えば、特許文献２参照。）。
【０００４】
また、熱線センサは、人体の動きがなくなると人体の存在を検知しなくなるので、前記所定期間後に照明器具が消灯されることを防止するために、負荷オン／オフ端末器（スイッチ装置）よりオン要求の信号を送信して照明器具を点灯させる照明装置が提案されている（例えば、特許文献３参照。）。この従来技術の照明装置は、同一の信号線にセンサ装置および負荷オン／オフ端末器が接続され、それぞれ検知信号およびオン要求の制御信号が伝送される。
【特許文献１】特開平２−２９１７９５号公報（第３頁、第２図）
【特許文献２】特開平１１−１８５９７７号公報（第４頁、第１図）
【特許文献３】特開平５−２７６５７７号公報（第４頁、第１図）
【発明の開示】
【発明が解決しようとする課題】
【０００５】
特許文献１は、センサ装置と主制御部とを接続する信号線を用いて、検知信号の伝送とともに主制御部からセンサ装置への給電を行うことができるが、人体の不存在時に照明器具を消灯させることのできるスイッチ装置を具備していないものである。
【０００６】
また、特許文献２は、センサ装置（熱線センサ）に接続される信号線と、スイッチに接続される信号線を要するという欠点を有する。
【０００７】
また、特許文献３は、同一の信号線に検知信号およびオン要求の制御信号が伝送されるが、アドレスデータを含むコード化データ、その送受信装置が必要であるという欠点を有する。
【０００８】
本発明は、人体を検知するセンサ装置および照明負荷を強制消灯させることのできるスイッチ装置を備え、センサ装置およびスイッチ装置が同一の信号線より給電され、かつ当該信号線にそれぞれ検知信号および消灯信号を送出することのできる照明装置を提供することを目的とする。
【課題を解決するための手段】
【０００９】
請求項１に記載の照明装置の発明は、照明負荷と；信号線に接続され、この信号線に電力を供給する電源部を有する照明制御装置と；人体を検知する人感センサを有してなり、信号線に接続され、信号線から電力が供給されて動作するとともに、人感センサが人体を検知したときに信号線の電圧を変化させることにより信号線に検知信号を送出するセンサ装置と；手動操作されるスイッチ部を有してなり、信号線に接続され、信号線から電力が供給されて動作するとともに、スイッチ部が手動操作されたときに信号線の電圧をセンサ装置のときと異ならせて変化させることにより信号線に操作信号を送出するスイッチ装置と；信号線の電圧を検出することにより、センサ装置から送出された検知信号およびスイッチ装置から送出された操作信号を検出する送出信号検出手段と；照明制御装置に設けられ、送出信号検出手段が検知信号を検出したときに人体の存在に応じた制御信号を出力して照明負荷を制御し、検知信号を検出した時点から所定期間内に再び送出信号検出手段が検知信号を検出しないときに人体の不存在に応じた制御信号を出力して照明負荷を制御するセンサ制御手段と；照明制御装置に設けられ、送出信号検出手段が操作信号を検出したときに照明負荷を強制的に消灯または調光させるように制御する外部操作制御手段と；を具備していることを特徴とする。
【００１０】
本発明および以下の発明において、特に言及しない限り、各構成は以下による。
【００１１】
信号線に供給される電力は、直流電源または交流電源を問わない。交流電源が供給されるとき、センサ装置およびスイッチ装置において、交流電圧を直流電圧に変換して動作電源とすることができる。
【００１２】
また、「電圧を変化させる」とは、電圧（電流）レベル、電圧幅や電圧波形など、信号線に送出されるセンサ装置の検知信号およびスイッチ装置の操作信号のそれぞれの電圧が互いに異なることを意味する。
【００１３】
センサ制御手段から出力される人体の不存在に応じた制御信号は、連続的に出力される人体の存在に応じた制御信号を停止させることであってもよい。すなわち、センサ制御手段から人体の存在に応じた制御信号が出力されないことを人体の不存在に応じた制御信号が出力されるとしてよい。
【００１４】
また、センサ制御手段は、点消灯制御の他、人体の存否に応じた制御信号により、照明負荷を調光制御するように構成されていてもよい。すなわち、センサ制御手段は、人体の存在に応じた制御信号を出力することにより、照明負荷を点灯させる。このときの照明負荷の調光率は、予め設定された調光率であってもよく、照度センサの検知信号に応じて照明エリアが一定の明るさとなるように調光率が変化されるものであってもよい。そして、人体の不存在に応じた制御信号を出力することにより、照明負荷を消灯または調光点灯させる。
【００１５】
本発明によれば、センサ装置およびスイッチ装置が同一の信号線から電力が供給されて動作するとともに、センサ装置の検知信号およびスイッチ装置の操作信号がそれぞれ信号線の電圧を異ならせて信号線に送出され、送出信号検出手段により検知信号および操作信号が検出される。そして、検知信号が検出されると、照明負荷が消灯または調光から点灯され、所定期間内に再び検知信号が検出されないと、照明負荷が消灯または調光され、操作信号が検出されると、照明負荷が強制的に消灯または調光される。
【００１６】
請求項２に記載の照明装置の発明は、請求項１記載の照明装置において、電源部から直流電圧が供給され、センサ装置から送出された検知信号およびスイッチ装置から送出された操作信号は、それぞれの電圧レベルが異なることを特徴とする。
【００１７】
本発明によれば、センサ装置およびスイッチ装置にＡＣ−ＤＣ変換装置などを設ける必要がなく、また、検知信号および操作信号のそれぞれの電圧レベルを異ならせるので、センサ装置およびスイッチ装置のそれぞれの構成が簡素化される。また、送信信号検出手段において、検知信号および操作信号は、電圧レベルの相違が検出されるので、それぞれ容易に検出される。
【発明の効果】
【００１８】
請求項１の発明によれば、センサ装置およびスイッチ装置が同一の信号線から電力が供給されて動作するとともに、センサ装置の検知信号およびスイッチ装置の操作信号がそれぞれ信号線の電圧を異ならせて信号線に送出され、送出信号検出手段により検知信号および操作信号が検出されるので、センサ装置およびスイッチ装置に各々信号線を接続する場合に比べて、照明装置の構成を簡素化することができ、特に一般家庭に設けられる照明装置を安価にすることができる。
【００１９】
請求項２の発明によれば、センサ装置およびスイッチ装置は、直流電圧が供給され、電圧レベルを異ならせて、それぞれ検知信号および操作信号が形成されるので、センサ装置およびスイッチ装置のそれぞれの構成を簡素化することができ、センサ装置およびスイッチ装置を安価にすることができる。また、送信信号検出手段は、それぞれの電圧レベルを検出するので、簡素に形成することができ、検知信号および操作信号を容易に検出することができる。
【発明を実施するための最良の形態】
【００２０】
以下、本発明の一実施の形態について、図面を参照して説明する。
【００２１】
図１〜図８は、本発明の一実施の形態を示し、図１は照明装置の概略構成図、図２は天井に取り付けられた状態の親機のセンサ装置の概略正面図、図３は親機のセンサ装置のカバーが取り外された状態の概略下面図、図４は照明制御装置の概略ブロック図、図５は子機のセンサ装置の概略回路図、図６は時限オフスイッチ装置の概略回路図、図７は信号線に送出される検知信号および操作信号を示し、（ａ）は信号図、（ｂ）は概略検出回路図、図８は照明負荷の制御を示す動作図である。
【００２２】
図１において、照明装置１は、親機のセンサ装置２、子機のセンサ装置３，４、スイッチ装置としての時限オフスイッチ装置５および照明器具６を有して構成されている。そして、親機のセンサ装置２に後述の照明制御装置２６、送出信号検出手段２８、センサ制御手段３２および外部操作制御手段３２が設けられている。また、照明負荷７は、照明器具６に配設されている。さらに、子機のセンサ装置３，４が本発明のセンサ装置を構成している。
【００２３】
センサ装置２は、例えば室内の天井面に配設され、センサ装置３は、例えば廊下の天井面に配設され、センサ装置４は、例えば玄関などの出入口より奥側の天井面に配設されている。また、時限オフスイッチ装置５は、例えば玄関などの出入口の壁面に配設されている。そして、照明器具６は、室内の天井面に直付けされ、吊り下げられ、あるいは埋設されている。照明器具６は、照明負荷としての蛍光ランプ７およびこの蛍光ランプ７を点灯させる点灯装置（図示しない。）を具備している。
【００２４】
親機のセンサ装置２には、電源線８を介して商用交流電源が入力されている。この電源は、電源線９を介して照明器具６の点灯装置に供給可能となっている。また、直流電圧に変換され、信号線１０を介して子機のセンサ装置３，４および時限オフスイッチ装置５に供給されている。
【００２５】
センサ装置２は、図２に示すように、センサ装置本体１２、カバー１３および取付金具１４，１４等を有して構成されている。センサ装置本体１２は、例えばＡＢＳ樹脂により形成され、天井１５に形成された開口部１６に埋め込まれている。そして、センサ装置本体１２の下面に円盤状のカバー１３が着脱可能に取り付けられている。すなわち、センサ装置本体１２には、天井１５の下面１５ａに当接し、かつ、カバー１３と略同径のフランジ部１７が設けられている。このフランジ部１７に設けられた爪部１８，１８（図３に示す。）にカバー１３が係合されている。
【００２６】
そして、センサ装置本体１２の側面には、天井１５の上面１５ｂに当接してセンサ装置本体１２を保持する取付金具１４，１４がそれぞれ取り付けられ、上部側面には、図示しない電源用端子部および制御用端子部が設けられている。
【００２７】
そして、センサ装置２のフランジ部１７の内側は、図３に示すように、部品配置部１９となっている。部品配置部１９には、フェーダ２０，２１、リモコン送信機２２（図１に示す。）からの送信信号を受信するリモコン受信部２３、リモコン送信機２２に返信信号を送信するリモコン送信部２４および人体から放射される熱線を検知する人感センサ２５などが配設されている。この人感センサ２５は、焦電センサであり、その検知範囲は、円錐形の内部で、例えば、天井１５の下面１５ａからの距離２ｍの検知面で直径約５ｍの範囲内を検知するようになっている。
【００２８】
そして、フェーダ２０は、所定期間としての第１の所定期間を設定するものであり、センサ装置本体１２内の可変抵抗器（図示しない。）に接続されている。そして、起点から終点までの操作範囲で移動操作させることにより、第１の所定期間を０〜３０分の範囲で設定させる。また、フェーダ２１は、第２の所定期間を設定するものであり、同じく、第２の所定期間を０〜５分の範囲で設定させる。第１の所定期間は、後述の送出信号検出手段２８がセンサ装置３，４からの検知信号を検出した時点から計時されるものである。また、第２の所定期間は、同じく時限オフスイッチ装置４からの操作信号を検出した時点から計時されるものである。
【００２９】
また、センサ装置２は、センサ装置本体１２の内部に照明制御装置２６を具備している。照明制御装置２６は、図４に示すように、電源部２７、送出信号検出手段としての子機・時限オフスイッチ通信インターフェース（Ｉ／Ｆ）部２８、人感センサインターフェース（Ｉ／Ｆ）部２９、リモコン送受信インターフェース（Ｉ／Ｆ）部３０、設定操作部３１、センサ制御手段および外部操作制御手段としての主制御部３２、記憶部３３、計時部３４、センサ制御手段および外部操作制御手段としての負荷制御インターフェース（Ｉ／Ｆ）部３５を有して構成されている。
【００３０】
電源部２７は、電源端子３６，３６に接続されている。電源端子３６，３６は、電源線８を介して商用交流電源（図示しない。）に接続されている。そして、電源部２７は、交流電圧を直流電圧に変換すると共に、所定の電圧値に調整して、主制御部３２やその他の回路部に駆動電源を供給するように構成されている。また、子機・時限オフスイッチ通信Ｉ／Ｆ部２８を介して、通信端子３７，３７に接続されている信号線１０に直流電圧例えば１２Ｖを供給している。通信端子３７，３７は、信号線１０を介して子機のセンサ装置３，４および時限オフスイッチ装置５に接続されている。したがって、電源部２７は、信号線１０により、子機のセンサ装置３，４および時限オフスイッチ装置５に直流電圧例えば１２Ｖを供給している。
【００３１】
電源端子３６，３６は、リレー３８を介して負荷端子３９，３９に接続されている。そして、負荷端子３９，３９は、電源線９を介して照明器具６の点灯装置に接続されている。リレー３８がオンされることにより、商用交流電源の交流電圧が点灯装置に供給される。
【００３２】
子機・時限オフスイッチ通信Ｉ／Ｆ部２８は、人感センサＩ／Ｆ部２９および主制御部３２に接続され、人感センサＩ／Ｆ部２９から送出された人感センサ２５による人体の検知信号を主制御部３２に送出するように構成されている。また、通信端子３７，３７および信号線１０を介して子機のセンサ装置３，４に接続され、子機のセンサ装置３，４より信号線１０に送出された検知信号を主制御部３２に送出するように構成されている。さらに、通信端子３７，３７および信号線１０を介して時限オフスイッチ装置５に接続され、時限オフスイッチ装置５において、蛍光ランプ７を消灯させる手動操作（外部操作）が行われたときの時限オフスイッチ装置５から信号線１０に送出された操作信号を主制御部３２に送出するように構成されている。
【００３３】
人感センサＩ／Ｆ部２９は、人感センサ２５に接続されており、人感センサ２５が検知した人体の検知信号を子機・時限オフスイッチ通信Ｉ／Ｆ部２８に送出するように構成されている。
【００３４】
リモコン送受信Ｉ／Ｆ部３０は、リモコン受信部２３およびリモコン送信部２４に接続されている。そして、リモコン受信部２３が受信したリモコン送信機２２から送信された制御信号、例えば蛍光ランプ７を点灯させる点灯信号や調光点灯させる調光信号あるいは蛍光ランプ７を強制的に消灯させる消灯信号（外部操作信号）を主制御部３２に送出するように構成されている。また、主制御部３２から送出された蛍光ランプ７の点灯状態や第１および第２の所定期間などの返信信号をリモコン送信部２４に送出して、リモコン送信部２４からリモコン送信機２２に送信させるように構成されている。
【００３５】
設定操作部３１は、センサ装置２の部品配置部１９に設けられたフェーダ２０，２１の操作量に応じて、それぞれ第１の所定期間および第２の所定期間を設定するように構成されている。第１および第２の所定期間は、主制御部３２に送出され、主制御部３２により記憶部３３に記憶される。
【００３６】
主制御部３２は、ＣＰＵおよびプログラムが格納されたＲＯＭなどを具備している。そして、人感センサ２５が人体を検知してセンサ装置３，４から信号線１０に検知信号が送出され、子機・時限オフスイッチ通信Ｉ／Ｆ部２８が当該検知信号を検出して主制御部３２に送出すると、負荷制御Ｉ／Ｆ部３５に人体の存在に応じた制御信号としてのリレー３８をオンにさせる制御信号を出力するように構成されている。すなわち、人感センサ２５が人体を検知したときに、照明器具６の蛍光ランプ７が点灯するように制御する。
【００３７】
そして、子機・時限オフスイッチ通信Ｉ／Ｆ部２８が検知信号を検出した時点から第１の所定期間内に再び検知信号を検出しないと、負荷制御Ｉ／Ｆ部３５に対するリレー３８をオンにさせる制御信号の出力を停止するように構成されている。この制御信号の停止により、負荷制御Ｉ／Ｆ部３５は、リレー３８をオフにする。すなわち、子機・時限オフスイッチ通信Ｉ／Ｆ部２８が検知信号を検出した時点から第１の所定期間後に蛍光ランプ７が消灯するように制御する。当該制御信号の停止は、人体の不存在に応じた制御信号を出力することと同等である。以上の主制御部３２による蛍光ランプ７の制御は、センサ制御手段を形成している。
【００３８】
また、主制御部３２は、蛍光ランプ７が点灯しているときに、時限オフスイッチ装置５から操作信号が入力されると、負荷制御Ｉ／Ｆ部３５に対するリレー３８をオンにさせる制御信号の出力を停止するように構成されている。この制御信号の停止により、負荷制御Ｉ／Ｆ部３５は、リレー３８をオフにする。すなわち、時限オフスイッチ装置５のスイッチ部５ａが手動操作され、時限オフスイッチ装置５から操作信号が信号線１０に送出され、子機・時限オフスイッチ通信Ｉ／Ｆ部２８が当該操作信号を検出すると、蛍光ランプ７を強制的に消灯させる。そして、当該検出の時点から第２の所定期間に亘ってセンサ装置３，４の検知信号に応じた蛍光ランプ７の制御を停止させる。すなわち、第２の所定期間に亘って、蛍光ランプ７は強制的に消灯される。そして、第２の所定期間経過後に、センサ装置３，４の検知信号に応じた蛍光ランプ７の制御を停止することが解除され、再びセンサ装置３，４の検知信号に応じて蛍光ランプ７の点消灯が制御される。以上の主制御部３１による蛍光ランプ７の制御は、外部操作制御手段を形成している。
【００３９】
記憶部３３は、第１および第２の所定期間などの諸データが記憶されている。また、計時部３４は、主制御部３２の制御により、子機・時限オフスイッチ通信Ｉ／Ｆ部２８が検知信号を検出した時点からの第１の所定期間を計時し、子機・時限オフスイッチ通信Ｉ／Ｆ部２８が操作信号を検出した時点から第２の所定期間を計時する。そして、第１の所定期間または第２の所定期間の計時がタイムアップすると、計時完了の信号を主制御部３２に送出するように構成されている。
【００４０】
負荷制御Ｉ／Ｆ部３５は、主制御部３２から送出されたリレー３８をオンにさせる制御信号に応じてリレー３８をオンさせるように構成されている。そして、主制御部３２が当該制御信号の出力を停止すると、リレー３８をオフさせる。
【００４１】
そして、子機のセンサ装置３，４は、図１に示すように、それぞれ信号線１０を介して親機のセンサ装置２に接続されている。すなわち、信号線１０は、図４に示す照明制御装置２６の通信端子３７，３７に接続されている。
【００４２】
子機のセンサ装置３，４は、親機のセンサ装置２と略相似の外形であって、小型に形成されている。そして、部品配置部１９には、図３に示すリモコン受信部２３、リモコン送信部２４およびフェーダ２０，２１などは備えられず、人感センサ２５が具備されている。そして、子機のセンサ装置３，４のセンサ装置本体１２の内部には、人感センサ２５により人体が検知されたときの検知信号を親機のセンサ装置２の照明制御装置２６に送出する検知信号送信装置４０が設けられている。ここで、親機のセンサ装置２と同一部分には、同一符号を用いている。
【００４３】
検知信号送信装置４０は、図５に示すように、整流器４１、電源部４２、人感センサインターフェース（Ｉ／Ｆ）部４３、送信信号生成部４４およびＮ形のバイポーラトランジスタＴｒ１を有して構成されている。そして、人感センサ２５は、人感センサＩ／Ｆ部４３に接続されている。
【００４４】
整流器４１の入力端子は、通信端子４５，４５に接続されている。この通信端子４５，４５は、信号線１０を介して親機のセンサ装置２の照明制御装置２６の通信端子３７，３７に接続されている。これにより、通信端子４５，４５には、照明制御装置２６の電源部２７（子機・時限オフスイッチ通信Ｉ／Ｆ部２８）から出力された直流電圧１２Ｖが供給されており、直流電圧が整流器４１の入力端子に入力されている。
【００４５】
整流器４１の出力端子間には、ツェナーダイオードＺＤ１およびバイポーラトランジスタＴｒ１の直列回路が接続されている。そして、バイポーラトランジスタＴｒ１は、ベースが抵抗Ｒ１を介して送信信号生成部４４の出力側に接続され、ベースおよびエミッタ間に抵抗Ｒ２が接続されている。バイポーラトランジスタＴｒ１のベースに送信信号生成部４４の出力電圧（送信信号）が印加されると、バイポーラトランジスタＴｒ１はオンする。ここで、ツェナーダイオードＺＤ１のツェナー電圧は、例えば７．５Ｖである。
【００４６】
バイポーラトランジスタＴｒ１がオンすると、整流器４１の正極側の出力端子からツェナーダイオードＺＤ１およびバイポーラトランジスタＴｒ１の直列回路を介して負極側の出力端子に電流が流れる。この結果、整流器４１およびツェナーダイオードＺＤ１などにより通信端子４５，４５間に電圧降下が発生し、通信端子４５，４５間の電圧が１２Ｖから９Ｖ低下する。すなわち、信号線１０の直流電圧が変化される。この電圧降下は、直流電圧の電圧レベルを変化させ、親機側の照明制御装置２６の子機・時限スイッチ通信Ｉ／Ｆ部２８により検出される。すなわち、図７（ａ）に示すように、子機・時限オフスイッチ通信Ｉ／Ｆ部２８で約３Ｖの電圧が検出される。これにより、子機のセンサ装置３，４の人感センサ２５が人体を検出すると、検知信号が信号線１０に送出されることになり、子機・時限オフスイッチ通信Ｉ／Ｆ部２８で検出されて主制御部３２に送出される。
【００４７】
電源部４２は、Ｎ形のバイポーラトランジスタＴｒ２、ツェナーダイオードＺＤ２、抵抗Ｒ３および抵抗Ｒ４を有して構成されている。そして、整流器４１の出力端子間に抵抗Ｒ３、抵抗Ｒ４およびツェナーダイオードＺＤ２が接続されている。これにより、整流器４１の正極側の出力端子から抵抗Ｒ３および抵抗Ｒ４を介してバイポーラトランジスタＴｒ２のベースに電流が流れるので、バイポーラトランジスタＴｒ２は、常にオンする。このバイポーラトランジスタＴｒ２のオンにより、整流器４１から人感センサＩ／Ｆ部４３および送信信号生成部４４などに駆動電源が供給されている。すなわち、センサ装置３，４は、信号線１０から電力が供給されて動作している。
【００４８】
人感センサＩ／Ｆ部４３は、人感センサ２５が人体を検知すると、検知信号を送信信号生成部４４に送出するように構成されている。そして、送信信号生成部４４は、当該検知信号に応じて、送信信号をバイポーラトランジスタＴｒ１のベースに出力するように構成されている。この送信信号がバイポーラトランジスタＴｒ１のベースに印加され、バイポーラトランジスタＴｒ１がオンすることにより、子機側の人感センサ２５が人体を検知したときの検知信号が信号線１０に送出される。そして、親機側の照明制御装置２６の子機・時限オフスイッチ通信Ｉ／Ｆ部２８で検出される。
【００４９】
上述したように、センサ装置３，４は、信号線１０から電力が供給されて動作している。そして、人感センサ２５が人体を検知したときに、信号線１０の電圧を変化させることにより、信号線１０に検知信号を送出するように構成されている。
【００５０】
そして、時限オフスイッチ装置５は、図１に示すように、子機のセンサ装置３，４と同様、信号線１０に接続され、信号線１０より電源（直流電圧）が供給されて動作している。そして、スイッチ部５ａの操作に応じて、操作信号を信号線１０に送出する操作信号送信装置４６が設けられている。
【００５１】
操作信号送信装置４６は、図６に示すように、整流器４７、電源部４８、スイッチ判定部４９、送信信号生成部５０およびＮ形のバイポーラトランジスタＴｒ３を有して構成されている。そして、スイッチ部５ａは、スイッチ判定部４９に接続されている。手動操作によりスイッチ部５ａをオンさせると、スイッチ判定部４９はオン信号を送信信号生成部５０に送出するように構成されている。そして、送信信号生成部５０は、当該オン信号に応じて、出力電圧（送信信号）をバイポーラトランジスタＴｒ３に供給するように構成されている。
【００５２】
整流器４７の入力端子は、通信端子５１，５１接続されている。この通信端子５１，５１は、信号線１０を介して親機のセンサ装置２の照明制御装置２６の通信端子３７，３７に接続されている。これにより、通信端子５１，５１には、信号線１０から電力（直流電圧１２Ｖ）が供給されており、直流電圧が整流器４７の入力端子に入力されている。
【００５３】
整流器４７の出力端子間には、ツェナーダイオードＺＤ３およびバイポーラトランジスタＴｒ３の直列回路が接続されている。そして、バイポーラトランジスタＴｒ３は、ベースが抵抗Ｒ５を介して送信信号生成部５０の出力側に接続され、ベースおよびエミッタ間に抵抗Ｒ６が接続されている。バイポーラトランジスタＴｒ３のベースに送信信号生成部５０の出力電圧が印加されると、バイポーラトランジスタＴｒ３はオンする。ここで、ツェナーダイオードＺＤ３のツェナー電圧は、例えば６．５Ｖである。
【００５４】
バイポーラトランジスタＴｒ３がオンすると、整流器４７の正極側の出力端子からツェナーダイオードＺＤ３およびバイポーラトランジスタＴｒ３の直列回路を介して負極側の出力端子に電流が流れる。この結果、整流器４７およびツェナーダイオードＺＤ３などにより通信端子５１，５１間に電圧降下が発生し、通信端子５１，５１間の電圧が１２Ｖから８Ｖ低下する。すなわち、信号線１０の電圧（直流電圧）が変化され、この変化は、センサ装置３，４のときの電圧の変化と異なっている。そして、当該電圧降下は、直流電圧の電圧レベルを変化させ、親機側の照明制御装置２６の子機・時限オフスイッチ通信Ｉ／Ｆ部２８により検出される。すなわち、図７（ａ）に示すように、子機・時限オフスイッチ通信Ｉ／Ｆ部２８で４Ｖの電圧が検出される。これにより、時限オフスイッチ装置５のスイッチ部５ａの手動操作が行われると、操作信号が信号線１０に送出されることになり、子機・時限オフスイッチ通信Ｉ／Ｆ部２８で検出されて主制御部３２に送出される。
【００５５】
電源部４８は、Ｎ形のバイポーラトランジスタＴｒ４、ツェナーダイオードＺＤ４、抵抗Ｒ７および抵抗Ｒ８を有して構成されている。そして、整流器４７の出力端子間に抵抗Ｒ７、抵抗Ｒ８およびツェナーダイオードＺＤ４が接続されている。これにより、整流器４７の正極側の出力端子から抵抗Ｒ７および抵抗Ｒ８を介してバイポーラトランジスタＴｒ４のベースに電流が流れるので、バイポーラトランジスタＴｒ２は、常にオンする。このバイポーラトランジスタＴｒ２のオンにより、整流器４７からスイッチ判定部４９および送信信号生成部５０などに駆動電源が供給されている。すなわち、時限オフスイッチ装置５は、信号線１０から電力が供給されて動作している。
【００５６】
上述したように、時限オフスイッチ装置５は、信号線１０から電力が供給されて動作している。そして、スイッチ部５ａが手動操作されたときに、信号線１０の電圧をセンサ装置３，４のときと異ならせて変化させることにより、信号線１０に操作信号を送出するように構成されている。
【００５７】
そして、照明制御装置２６の送信信号検出手段としての子機・時限オフスイッチ通信Ｉ／Ｆ部２８は、信号線１０に供給されている電力（直流電圧）の変化により、センサ装置３，４から信号線１０に送出された検知信号および時限オフスイッチ装置５から信号線１０に送出された操作信号を検出する。すなわち、子機・時限オフスイッチ通信Ｉ／Ｆ部２８は、常時、信号線１０の電圧（直流電圧）を検出している。そして、図７（ａ）に示すように、センサ装置３，４および時限オフスイッチ装置５の動作により微小な電圧が検出される。また、約３Ｖの検出により、センサ装置３，４からの検知信号を検出し、約４Ｖの検出により、時限オフスイッチ装置５からの操作信号を検出している。当該検出は、図７（ｂ）に示すように、信号線１０の電圧（直流電圧）の変化に応じて、抵抗Ｒ９に流れる電流を検出することにより行っている。すなわち、抵抗Ｒ９の両端電圧Ｖｆを検出することにより、信号線１０の電圧（直流電圧）の変化がセンサ装置３，４からの検知信号によるものか、時限オフスイッチ装置５からの操作信号によるものかを判断している。
【００５８】
そして、子機・時限オフスイッチ通信Ｉ／Ｆ部２８は、センサ装置３，４の検知信号および時限オフスイッチ装置５の操作信号をそれぞれ主制御部３２に送出している。また、子機・時限オフスイッチ通信Ｉ／Ｆ部２８は、親機の人感センサ２５が検出した検知信号が入力され、当該検知信号を主制御部３２に送出している。
【００５９】
上述したように、センサ装置３，４およびスイッチ装置５が同一の信号線１０に接続され、信号線１０から電力（直流電圧）が供給されて動作するとともに、センサ装置３，４の検知信号およびスイッチ装置５の操作信号がそれぞれ信号線１０の電圧を異ならせて信号線１０に送出され、当該検知信号および操作信号が子機・時限オフスイッチ通信Ｉ／Ｆ部２８で検出されるように構成されているので、センサ装置３，４およびスイッチ装置５に個々に信号線１０が配線される場合に比べて、照明装置１の構成が簡素となり、照明装置１が安価に形成される。特に、一般家庭における照明装置１は、安価であることが求められ、それに応えることができる。また、照明装置１の配線が省力化される。
【００６０】
そして、センサ装置３，４および時限オフスイッチ装置５は、直流電圧の電圧レベルが互いに異なるようにして、それぞれ検知信号および操作信号を送出するので、それぞれの構成が簡素化される。また、子機・時限オフスイッチ通信Ｉ／Ｆ部２８は、信号線１０の電圧レベルの相違を検出するので、検知信号および操作信号の検出が容易であり、回路構成が簡素化される。
【００６１】
なお、信号線１０の電圧の変化は、直流電圧の幅であってもよい。すなわち、センサ装置３，４の送信信号生成部４４または時限オフスイッチ装置５の送信信号生成部５０のそれぞれの出力電圧（送信信号）の出力期間を変化させることにより、直流電圧の幅が変化される。
【００６２】
また、信号線１０に供給される電源は、交流電圧であってもよく、交流電圧が検知信号および操作信号で異なるように変化され、子機・時限オフスイッチ通信Ｉ／Ｆ部２８が当該変化を検出するように形成されていてもよい。
【００６３】
次に、本発明の一実施の形態の動作について述べる。
【００６４】
子機のセンサ装置３，４に設けられている人感センサ２５が人体の存在を検知すると、検知信号が信号線１０に送出され、親機のセンサ装置２に配設されている照明制御装置２６の子機・時限オフスイッチ通信Ｉ／Ｆ部２８で検知信号が検出される。また、親機のセンサ装置２に設けられている人感センサ２５が人体を検知すると、検知信号が子機・時限オフスイッチ通信Ｉ／Ｆ部２８に入力される。そして、子機・時限オフスイッチ通信Ｉ／Ｆ部２８は、主制御部３２に検知信号を送出する。
【００６５】
また、時限オフスイッチ装置５のスイッチ部５ａが手動操作されると、操作信号が信号線１０に送出され、子機・時限オフスイッチ通信Ｉ／Ｆ部２８で操作信号が検出される。子機・時限オフスイッチ通信Ｉ／Ｆ部２８は、主制御部３２に操作信号を送出する。
【００６６】
図４において、主制御部３２は、検知信号が入力されると、負荷制御Ｉ／Ｆ部３５に人体の存在に応じた制御信号としてのリレー３８をオンにさせる制御信号を出力する。負荷制御Ｉ／Ｆ部３５は、当該制御信号に応じて、リレー３８をオンさせる。リレー３８がオンすると、照明制御装置２６の負荷端子３９，３９間に商用交流電源からの交流電圧が印加され、交流電圧は、電源線９を介して照明器具６に配設されている点灯装置に入力される。そして、点灯装置は、蛍光ランプ７を点灯させる。このように、主制御部３２は、人感センサ２５が人体を検知したときに、照明器具６の蛍光ランプ７を点灯させる。
【００６７】
そして、主制御部３２は、親機のセンサ装置２の人感センサ２５による検知信号を入力した時点または子機・時限オフスイッチ通信Ｉ／Ｆ部２８が検知信号を検出した時点から第１の所定期間Ｔ１を計時部３４に計時させる。そして、計時部３４は、第１の所定期間Ｔ１の計時がタイムアップすると、計時完了の信号を主制御部３２に送出する。主制御部３２は、当該計時完了の信号が入力されると、負荷制御Ｉ／Ｆ部３５に出力しているリレー３８をオンにさせる制御信号を停止する。負荷制御Ｉ／Ｆ部３５は、当該制御信号の停止により、リレー３８をオフにする。これにより、負荷端子３９，３９間に商用交流電源からの交流電圧が印加されなくなり、点灯装置は給電されなくなり、蛍光ランプ７は消灯する。
【００６８】
また、主制御部３２は、計時部３４が第１の所定期間Ｔ１を計時しているときに、検知信号が入力されると、計時部３４による計時をリスタートさせる。すなわち、主制御部３２は、人感センサ２５が人体を検知するごとに、繰り返し、計時部３４に第１の所定期間Ｔ１を計時させる。
【００６９】
そして、主制御部３２は、図８（ａ）に示すように、親機のセンサ装置２の人感センサ２５による検知信号を入力した時点または子機・時限オフスイッチ通信Ｉ／Ｆ部２８が検知信号を検出した時点から第１の所定期間Ｔ１内に再び検知信号が入力されないときに蛍光ランプ７を消灯させる。
【００７０】
そして、例えば外出するときに、玄関に設けられている時限オフスイッチ装置５のスイッチ部５ａを手動操作する。すると、時限オフスイッチ装置５から信号線１０に送出された操作信号は、子機・時限オフスイッチ通信Ｉ／Ｆ部２８で検出され、主制御部３２に入力される。
【００７１】
主制御部３２は、蛍光ランプ７が点灯しているときに、子機・時限オフスイッチ通信Ｉ／Ｆ部２８から操作信号を入力すると、負荷制御Ｉ／Ｆ部３５に対するリレー３８をオンにさせる制御信号の出力を停止する。この制御信号の停止により、負荷制御Ｉ／Ｆ部３５は、リレー３８をオフにする。すなわち、時限オフスイッチ装置５のスイッチ部５ａが手動操作され、時限オフスイッチ装置５から操作信号が出力されると、蛍光ランプ７を強制的に消灯させる。そして、子機・時限オフスイッチ通信Ｉ／Ｆ部２８が操作信号を検出した時点から第２の所定期間Ｔ２に亘って検知信号に応じた蛍光ランプ７の制御を停止させる。すなわち、図８（ｂ）に示すように、第２の所定期間Ｔ２の計時中に、人感センサ２５が人体を検知して人感センサ２５の検知信号が主制御部３１に入力されても、主制御部３２は、蛍光ランプ７は強制的に消灯させる。そして、主制御部３２は、第２の所定期間Ｔ２経過後に、人感センサ２５の検知信号に応じた蛍光ランプ７の制御を停止することを解除し、再び人感センサ２５の検知信号に応じて蛍光ランプ７の点消灯を制御する。
【００７２】
なお、図８において、動作モードの自動モードは、人感センサ２５の検知信号に応じて、主制御部３２が蛍光ランプ７の点消灯を制御していること、すなわちセンサ制御手段による制御をしていることを表している。また、時限オフモードは、時限オフスイッチ装置５からの操作信号に応じて、主制御部３２が蛍光ランプ７を強制的に消灯制御している（外部操作制御手段による制御）ことを表している。
【００７３】
また、主制御部３２は、子機・時限オフスイッチ通信Ｉ／Ｆ部２８から操作信号が入力されたとき、蛍光ランプ７を第２の所定期間Ｔ２に亘って強制的に消灯制御する必要はなく、操作信号が入力された時点で蛍光ランプ７を消灯させ、その後は、人感センサ２５の検知信号に応じて制御するようにしてもよい。
【００７４】
また、負荷制御Ｉ／Ｆ部３５は、主制御部３２からリレー３８をオンにさせる制御信号が出力されたときにリレー３８をオンし、当該制御信号の出力の停止によりリレー３８をオフさせるように構成されているが、これに限らず、主制御部３２から人体の存在に応じた制御信号としてのパルス信号が出力されたときにリレー３８をオンすると共にオン状態を保持し、主制御部３８から人体の不存在に応じた制御信号としてのパルス信号が出力されたときにリレー３８のオン状態の保持を解除してリレー３８をオフさせるように構成してもよい。
【図面の簡単な説明】
【００７５】
【図１】本発明の一実施の形態を示す照明装置の概略構成図。
【図２】同じく、天井に取り付けられた状態の親機のセンサ装置の概略正面図。
【図３】同じく、親機のセンサ装置のカバーが取り外された状態の概略下面図。
【図４】同じく、照明制御装置の概略ブロック図。
【図５】同じく、子機のセンサ装置の概略回路図。
【図６】同じく、時限オフスイッチ装置の概略回路図。
【図７】同じく、信号線に送出される検知信号および操作信号を示し、（ａ）は信号図、（ｂ）は概略検出回路図。
【図８】同じく、照明負荷の制御を示す動作図。
【符号の説明】
【００７６】
１…照明装置
３，４…センサ装置
５…スイッチ装置としての時限オフスイッチ装置
７…照明負荷としての蛍光ランプ
２６…照明制御装置
２８…送出信号検出手段としての子機・時限オフスイッチ通信Ｉ／Ｆ部
３２…センサ制御手段および外部操作制御手段としての主制御部
３５…センサ制御手段および外部操作制御手段としての負荷制御Ｉ／Ｆ部
【図１】
2005285541.tif 000003
【図２】
2005285541.tif 000004
【図３】
2005285541.tif 000005
【図４】
2005285541.tif 000006
【図５】
2005285541.tif 000007
【図６】
2005285541.tif 000008
【図７】
2005285541.tif 000009
【図８】
2005285541.tif 000010